(57)【要約】【課題】  原稿を読み込んで出力する処理に係るユーザの利便性を向上させる画像処理装置を提供する。【解決手段】  本発明は、画像処理装置に関する。そして、本発明画像処理装置は、第１の原稿を読み取り、第１の画像データを生成する読取部と、読取部により生成された第１の画像データに基づく確認用画像を表示出力する表示部と、複数の画像データの処理を一つのジョブとして処理する旨の、ユーザによる指示入力を受け付ける操作部と、表示部により第１の画像データに基づく確認用画像が表示されている間に、操作部により指示入力が受け付けられると、読取部に第２の原稿を読み取らせて第２の画像データを生成させ、第１の画像データと第２の画像データとを併せて一つのジョブとして処理する制御部とを有することを特徴とする。【選択図】      図１
2015050475.tif 000002
【特許請求の範囲】
【請求項１】
第１の原稿を読み取り、第１の画像データを生成する読取部と、
前記読取部により生成された前記第１の画像データに基づく確認用画像を表示出力する表示部と、
複数の画像データの処理を一つのジョブとして処理する旨の、ユーザによる指示入力を受け付ける操作部と、
前記表示部により前記第１の画像データに基づく確認用画像が表示されている間に、前記操作部により前記指示入力が受け付けられると、前記読取部に第２の原稿を読み取らせて第２の画像データを生成させ、前記第１の画像データと前記第２の画像データとを併せて一つのジョブとして処理する制御部と
を有することを特徴とする画像処理装置。
【請求項２】
前記表示部は更に第２の画像データに基づく確認用画像を表示出力することを特徴とする請求項１に記載の画像処理装置。
【請求項３】
前記ジョブに係る画像データを出力処理する出力部をさらに有することを特徴とする請求項１に記載の画像処理装置。
【請求項４】
前記制御部は、前記操作部へのユーザの操作に応じて、前記表示部に前記第２の画像データに基づく確認用画像を表示出力させること無しに、前記出力部に、前記ジョブに係る画像データを出力処理させることを特徴とする請求項３に記載の画像処理装置。
【請求項５】
前記指示入力には、第１の指示入力と第２の指示入力とが含まれ、
前記制御部は、
前記操作部により前記第１の指示入力が受け付けられると、前記表示部に、前記第１の画像データ及び前記第２の画像データに基づく確認用画像を表示させ、
前記操作部により前記第２の指示入力が受け付けられると、前記表示部に前記第２の画像データに基づく確認用画像を表示させること無しに前記出力部に前記ジョブに係る出力処理を実行させる
ことを特徴とする請求項１に記載の画像処理装置。
【請求項６】
前記第１の原稿は複数ページから成り、前記第１の画像データは複数ページに対応するデータであり、
第２の原稿は複数ページから成り、前記第２の画像データは複数ページに対応するデータである
ことを特徴とする請求項１〜５のいずれかに記載の画像処理装置。
【請求項７】
画像処理装置が行う画像処理方法において、
読取部、表示部、操作部、及び制御部を備え、
前記読取部は、第１の原稿を読み取り、第１の画像データを生成し、
前記表示部は、前記読取部により生成された前記第１の画像データに基づく確認用画像を表示出力し、
前記操作部は、複数の画像データの処理を一つのジョブとして処理する旨の、ユーザによる指示入力を受け付け、
前記制御部は、前記表示部により前記第１の画像データに基づく確認用画像が表示されている間に、前記操作部により前記指示入力が受け付けられると、前記読取部に第２の原稿を読み取らせて第２の画像データを生成させ、前記第１の画像データと前記第２の画像データとを併せて一つのジョブとして処理する
ことを特徴とする画像処理方法。
【発明の詳細な説明】
【技術分野】
【０００１】
本発明は、  画像処理装置及び画像処理方法に関し、例えば、原稿をスキャンしたスキャン画像を出力する際にディスプレイ表示するプレビュー表示機能に対応したＭＦＰ（Ｍｕｌｔｉｆｕｎｃｔｉｏｎ  Ｐｅｒｉｐｈｅｒａｌ；複合機）に適用し得る。
【背景技術】
【０００２】
従来のＭＦＰ等の画像処理装置では、原稿をスキャナで読取り、読み取ったスキャン画像を種々の方式で出力する処理を行う。例えば、従来のＭＦＰでは、読み取ったスキャン画像を印刷用紙に印刷して出力するコピー処理等に対応したものがある。
【０００３】
また、従来のＭＦＰでは、原稿を読み取ったスキャン画像を出力する前に、ユーザにそのスキャン画像に基づく画像（以下、「プレビュー画像」、又は「確認用画像」とも呼ぶ）をディスプレイに表示してユーザに確認させるプレビュー表示機能に対応したものがある。従来のプレビュー表示機能に対応した画像処理装置としては、例えば、特許文献１に記載された装置がある。
【先行技術文献】
【特許文献】
【０００４】
【特許文献１】特開２０１０−１２０２３１号公報
【発明の概要】
【発明が解決しようとする課題】
【０００５】
しかしながら、従来のプレビュー表示機能に対応したＭＦＰでは、原稿をスキャンして出力するジョブを実行する際に、プレビュー画像を表示した後、さらに原稿を追加したい場合には、一旦実行中のジョブを中止して、最初から原稿読取りを行うジョブを実行する必要があった。
【０００６】
上述のような問題に鑑みて、原稿を読み込んで出力する処理に係るユーザの利便性を向上させることができる画像処理装置及び画像処理方法が望まれている。
【課題を解決するための手段】
【０００７】
第１の本発明の画像処理装置は、（１）第１の原稿を読み取り、第１の画像データを生成する読取部と、（２）前記読取部により生成された前記第１の画像データに基づく確認用画像を表示出力する表示部と、（３）複数の画像データの処理を一つのジョブとして処理する旨の、ユーザによる指示入力を受け付ける操作部と、（４）前記表示部により前記第１の画像データに基づく確認用画像が表示されている間に、前記操作部により前記指示入力が受け付けられると、前記読取部に第２の原稿を読み取らせて第２の画像データを生成させ、前記第１の画像データと前記第２の画像データとを併せて一つのジョブとして処理する制御部とを有することを特徴とする。
【０００８】
第２の本発明は、画像処理装置が行う画像処理方法において、（１）読取部、表示部、操作部、及び制御部を備え、（２）前記読取部は、第１の原稿を読み取り、第１の画像データを生成し、（３）前記表示部は、前記読取部により生成された前記第１の画像データに基づく確認用画像を表示出力し、（４）前記操作部は、複数の画像データの処理を一つのジョブとして処理する旨の、ユーザによる指示入力を受け付け、（５）前記制御部は、前記表示部により前記第１の画像データに基づく確認用画像が表示されている間に、前記操作部により前記指示入力が受け付けられると、前記読取部に第２の原稿を読み取らせて第２の画像データを生成させ、前記第１の画像データと前記第２の画像データとを併せて一つのジョブとして処理することを特徴とする。
【発明の効果】
【０００９】
本発明によれば、原稿を読み込んで出力する処理に係るユーザの利便性を向上させる画像処理装置を提供することができる。
【図面の簡単な説明】
【００１０】
【図１】実施形態に係るＭＦＰのスキャンプレビュー処理の動作について示したフローチャートである。
【図２】実施形態に係るＭＦＰのハードウェア構成について示したブロック図である。
【図３】実施形態に係るＭＦＰを構成する制御部の機能的構成（ソフトウェア的構成）について示したブロック図である。
【図４】実施形態に係るＭＦＰが画像データを格納する構成（ＲＡＭ内部のデータ構成）について示したブロック図である。
【図５】実施形態に係るＭＦＰを構成するオペレーションパネルの平面図である。
【図６】実施形態に係るＭＦＰでＳｃａｎ  ｔｏ  Ｅｍａｉｌジョブが実行される場合の全体動作について示したフローチャートである。
【図７】実施形態に係るＭＦＰが表示するＳＣＡＮメニュー画面の例について示した説明図である。
【図８】実施形態に係るＭＦＰが表示するＳｃａｎ  ｔｏ  Ｅｍａｉｌ待機画面の例について示した説明図である。
【図９】実施形態に係るＭＦＰが表示するＰｒｅｖｉｅｗ待機画面（（「Ｄｅｓｔｉｎａｔｉｏｎ」のタブ）の例について示した説明図である。
【図１０】実施形態に係るＭＦＰが表示するＰｒｅｖｉｅｗ待機画面（（「Ｓｃａｎ  Ｓｅｔｔｉｎｇ」のタブ）の例について示した説明図である。
【図１１】実施形態に係るＭＦＰが表示するＳｃａｎ  Ｐｒｅｖｉｅｗ画（その１）の例について示した説明図である。
【図１２】実施形態に係るＭＦＰが表示するＥｍａｉｌ送信完了画面（その１）の例について示した説明図である。
【図１３】実施形態に係るＭＦＰが表示するＳｃａｎ  Ｐｒｅｖｉｅｗ画（その２）の例について示した説明図である。
【図１４】実施形態に係るＭＦＰが表示するＥｍａｉｌ送信完了画面（その２）の例について示した説明図である。
【発明を実施するための形態】
【００１１】
（Ａ）主たるの実施形態
以下、本発明による画像処理装置及び画像処理方法の一実施形態を、図面を参照しながら詳述する。以下では、本発明の画像処理装置を、ＭＦＰに適用した例について説明する。
【００１２】
（Ａ−１）実施形態の構成
図２は、この実施形態のＭＦＰ１００の機能的構成について示した説明図である。
【００１３】
この実施形態のＭＦＰ１００は、スキャナ部１０１、プリンタ部１０２、ファックス部１０３、ネットワーク送受信部１０４、オペレーションパネル１０５、ＲＡＭ１０６、ＲＯＭ１０７、及び制御部１０８を有している。
【００１４】
ＭＦＰ１００では、スキャナ部１０１が読取部として機能している。また、ＭＦＰ１００では、オペレーションパネル１０５が操作部及び表示部として機能している。さらに、ＭＦＰ１００では、プリンタ部１０２、ファックス部１０３、及びネットワーク送受信部１０４が、出力部を構成している。
【００１５】
ＲＡＭ１０６は、各機能処理実行時に一時的にデータを格納しておくためのメモリ領域（一次メモリ領域）である。また、ＲＯＭ１０７は、装置の設定情報を示すパラメータや、制御部１０８に実行させるプログラム等が格納された不揮発性メモリである。
【００１６】
オペレーションパネル１０５は、ＭＦＰ１００においてユーザインタフェースとして機能するものである。具体的には、この実施形態のオペレーションパネル１０５は、タッチパネルディスプレイ及びハードウェアキーを用いて、ユーザへの情報出力、及びユーザからの操作受付を行う。オペレーションパネル１０５の具体的な構成については後述する。
【００１７】
図３は、制御部１０８の機能的構成（ソフトウェア的構成）について示したブロック図である。
【００１８】
制御部１０８は、ＭＦＰ１００の各構成要素の動作を制御するものであり、画面表示制御部１０８、ジョブ処理部１１０、及びプレビュー画像生成部１１１を有している。制御部１０８は、例えば、プロセッサ等を有するコンピュータにプログラム（図３に示す機能的構成を実現する実施形態の画像処理プログラム）を実行させることによって構築することができる。
【００１９】
ジョブ処理部１１０は、当該ＭＦＰ１００の各構成要素を制御し、当該ＭＦＰ１００が対応している各機能（例えば、後述する「ＣＯＰＹ機能」、「ＳＣＡＮ機能」、「ＰＲＩＮＴ機能」、「ＦＡＸ機能」等）の処理（以下、「ジョブ」とも呼ぶ）を実行させるための制御を行う。ジョブ処理部１１０は、１つの機能に係る１連の制御処理を、１つのジョブとして処理する。すなわち、ジョブ処理部１１０は、ジョブ単位で当該ＭＦＰ１００の各機能に係る制御処理を行う。
【００２０】
画面表示制御部１０９は、後述するオペレーションパネル１０５のタッチパネル部２０３からユーザへ情報出力及び操作入力受付可能な操作画面を提示するための情報処理を行うものである。また、ＭＦＰ１００はプレビュー表示機能にも対応しており、画面表示制御部１０９は、タッチパネル部２０３から１又は複数のスキャン画像に基づいたプレビュー表示用の画像（確認用画像）を表示するための操作画面（以下、「プレビュー表示画面」又は「確認用画像提示画面」とも呼ぶ）をユーザに提示する
プレビュー画像生成部１１１は、スキャナ部１０１が生成したスキャン画像データを、プレビュー表示画面の表示に適したプレビュー画像データに変換する処理を行うものである。
【００２１】
ＭＦＰ１００において、スキャン画像及びプレビュー画像のデータは、図４に示すようにＲＡＭ１０６内に確保された領域に保持されるものとする。
【００２２】
スキャン画像保持領域１０６ａは、スキャナ部１０１が生成したスキャン画像データを記録するための領域である。この実施形態のスキャン画像保持領域１０６ａには原稿１ページ分のスキャン画像データが、１つのスキャン画像ファイルＦＳとして記録されるものとする。すなわち、この実施形態のＭＦＰ１００において、１つのジョブで処理されるスキャン画像データは、１又は複数の（複数ページ分の）スキャン画像ファイルＦＳにより構成されるものとする。
【００２３】
プレビュー画像保持領域１０６ｂは、スキャン画像保持領域１０６ａに記録されたスキャン画像データに基づくプレビュー画像データを記憶するための領域である。プレビュー画像保持領域１０６ｂには、原稿１ページ分のプレビュー画像データが、１つのプレビュー画像ファイルＦＰとして記録される。すなわち、ＭＦＰ１００において、１つのジョブで処理されるプレビュー画像データは、１又は複数の（複数ページ分の）プレビュー画像ファイルＦＰにより構成される。
【００２４】
スキャン画像ファイルＦＳ及びプレビュー画像ファイルＦＰのデータ形式については限定されないものであるが、例えば、スキャン画像ファイルＦＳについてはビットマップデータ形式やＪＰＥＧ形式（モノクロ又はカラー）のデータ形式を適用するようにしてもよい。また、図３では、スキャン画像保持領域１０６ａに記録されるスキャン画像データでは、ページごとに１つのスキャン画像ファイルＦＳを構成するものとして図示しているが、すべてのページの画像を１つのＰＤＦ（Ｐｏｒｔａｂｌｅ  Ｄｏｃｕｍｅｎｔ  Ｆｏｒｍａｔ）ファイル等にまとめて（バインドして）記録するようにしてもよい。
【００２５】
また、プレビュー画像ファイルＦＰについては、後述するタッチパネル部２０３の仕様（解像度や表示可能色）に応じたデータ形式を適用することが望ましい。例えば、タッチパネル部２０３がモノクロ２値の画素（白又は黒の画素）しか表示できない場合には、プレビュー画像ファイルＦＰにモノクロ２値のビットマップ形式やＧＩＦ形式を適用するようにしてもよい。
【００２６】
スキャナ部１０１は、原稿台（Ｆｌａｔ  Ｂｅｔ）または自動給紙装置（Ａｕｔｏ  Ｄｏｃｕｍｅｎｔ  Ｆｅｅｄｅｒ）で原稿を読み取り、読み取った原稿からスキャン画像のデータを生成する処理(「ＳＣＡＮ機能」の処理)を行い、そのスキャン画像のデータ制御部１０８（画像データ処理部１１０）に供給する。なお、この実施形態において、スキャナ部１０１には、ユーザにより１又は複数の原稿がセットされると、その原稿について順次繰り出して、スキャン（読取り）可能な自動給紙装置１０１ａが搭載されているものとする。
【００２７】
プリンタ部１０２は、スキャナ部１０１やネットワーク送受信部１０４等から供給された画像データについて、制御部１０８（画像データ処理部１１０）経由で取得して、印刷用紙（媒体）に印刷（画像形成）する処理を行うものである。
【００２８】
例えば、プリンタ部１０２は、スキャナ部１０１から、制御部１０８（画像データ処理部１１０）を介して供給された画像データについて、印刷データに変換し、印刷を実行する処理（「ＣＯＰＹ機能」の処理）を行うことができる。また、プリンタ部１０２は、例えば、ネットワーク送受信部１０４で受信した印刷ジョブのデータを、制御部１０８（画像データ処理部１１０）経由で取得して印刷処理（「ＰＲＩＮＴ機能」の処理）を行うことができる。
【００２９】
ファックス部１０３は、電話回線（ＦＡＸ回線）と接続している。ファックス部１０３は、例えば、スキャナ部１０１で生成された画像データについて、制御部１０８（画像データ処理部１１０）経由で供給を受けて、画像データをファックス送信可能なファックスデータ（ファックス送信用の信号）に変換し、電話回線を介して外部（電話通信網）へファックス送信する処理（「ＦＡＸ機能」の処理）を行うことができる。
【００３０】
ネットワーク送受信部１０４は、ＭＦＰ１００をネットワーク（例えば、ＬＡＮ）に接続するネットワークインタフェースの機能を担っている。ネットワーク送受信部１０４は、例えば、ＰＣ等の上位装置（ホスト装置）から、通信により印刷ジョブのデータが供給されると、その印刷ジョブのデータについて、制御部１０８（画像データ処理部１１０）を介し、プリンタ部１０２に供給する。また、ネットワーク送受信部１０４は、例えば、スキャナ部１０１で生成された画像データが、制御部１０８（画像データ処理部１１０）を介して供給されると、その画像データを添付したＥｍａｉｌ（電子メール）を、ユーザの操作に応じた宛先アドレスに送信する処理（「Ｓｃａｎ  ｔｏ  Ｅｍａｉｌジョブ」の処理）を行うことができる。
【００３１】
次に、オペレーションパネル１０５の構成例について図５を用いて説明する。
【００３２】
図５は、オペレーションパネル１０５の平面図である。
【００３３】
この実施形態のオペレーションパネル１０５は、大別して、第１のハードキー部２０１、第２のハードキー部２０２、及びタッチパネル部２０３により構成されているものとする。
【００３４】
タッチパネル部２０３は、制御部１０８に制御に応じた操作画面をＬＣＤディスプレイに表示すると共に、ユーザからの操作（操作画面上のソフトウェアキーの押下等）を受付けることが可能なデバイスである。タッチパネル部２０３は、ユーザからの操作に基づく操作信号（例えば、タッチされた領域の情報等）を制御部１０８に供給する。
【００３５】
第１のハードキー部２０１及び第２のハードキー部２０２は、それぞれ複数のハードキーにより構成されている。制御部１０８では、各キーの押下に応じた操作信号の供給を受付ける。
【００３６】
第１のハードキー部２０１には、ＭＦＰ１００が対応する各機能に対応するキー（機能キー）が配置されている。ＭＦＰ１００では、第１のハードキー部２０１を構成するいずれかの機能キーが押下されると、タッチパネル部２０３の操作画面が当該機能を実行する操作を受付ける画面（以下、「操作実行画面」とも呼ぶ）に遷移する。
【００３７】
第１のハードキー部２０１には、ＣＯＰＹ機能、ＳＣＡＮ機能、ＦＡＸ機能、及びＰＲＩＮＴ機能のそれぞれに対応する、ＣＯＰＹ機能キー２０１ａ、ＳＣＡＮ機能キー２０１ｂ、ＦＡＸ機能キー２０１ｃ、ＰＲＩＮＴ機能キー２０１ｄが配置されている。
【００３８】
第２のハードキー部２０２には、少なくとも、テンキー２０２ａ（数字入力用のテンキー）が配置されている。
【００３９】
（Ａ−２）実施形態の動作
次に、以上のような構成を有するこの実施形態のＭＦＰ１００の動作（実施形態の画像処理方法）を図６、図１のフローチャートを用いて説明する。図６、図１では、ＭＦＰ１００で、原稿を読み取ったスキャン画像データを出力する際にプレビュー表示処理を行うジョブの例として、Ｓｃａｎ  ｔｏ  Ｅｍａｉｌジョブの動作について説明している。
【００４０】
まず、ＭＦＰ１００で、Ｓｃａｎ  ｔｏ  Ｅｍａｉｌジョブが実行される場合の全体動作について図６のフローチャートを用いて説明する。
【００４１】
なお、図６のフローチャートを実行する前の初期状態として、スキャン画像保持領域１０６ａ及びプレビュー画像保持領域１０６ｂ内の画像データは全てクリア（削除）された状態であるものとする。また、図６のフローチャートの処理前の状態として、ＭＦＰ１００はアイドル状態（ジョブを実行していない状態）であるものとする。さらに、タッチパネル部２０３では、各機能へのポータルとなっている初期画面（Ｈｏｍｅ画面）が表示された状態（図４に示す表示状態）であるものとする。図４では、ＣＯＰＹ機能、ＦＡＸ機能、ＳＣＡＮ機能、ＰＲＩＮＴ機能のそれぞれに対応するメニューに移行可能なボタンＢ１０１〜Ｂ１０４が配置されている。
【００４２】
そしてここでは、ユーザによりＨｏｍｅ画面（図４の画面）で、ＳＣＡＮ機能のメニューに移行するためのボタンＢ１０３（「Ｓｃａｎ  Ｍｅｎｕ」と表示されたボタン）が押下されたものとする。Ｈｏｍｅ画面でＳＣＡＮ機能のメニューに移行するためのボタンＢ１０３が押下されると、画面表示制御部１０９は、タッチパネル部２０３の表示画面を、ＳＣＡＮ機能に係るジョブ（ジョブの種類）を選択可能な操作画面（以下、「ＳＣＡＮメニュー画面」と呼ぶ）に移行する。
【００４３】
図７は、ＳＣＡＮメニュー画面の構成例について示した説明図である。
【００４４】
そして、ＳＣＡＮメニュー画面において、Ｓｃａｎ  ｔｏ  Ｅｍａｉｌジョブの処理に移行するためのボタンＢ２０１（「Ｅｍａｉｌ」と表示されたボタン）が押下されると、制御部１０８（画面表示制御部１０９）は、タッチパネル部２０３に、Ｓｃａｎ  ｔｏ  Ｅｍａｉｌジョブを実行開始可能な状態で待機すると共に、当該ジョブに係る設定変更を受付けることが可能な操作画面（以下、「Ｓｃａｎ  ｔｏ  Ｅｍａｉｌ待機画面」と呼ぶ）を表示させる（Ｓ１０１）。
【００４５】
図８は、Ｓｃａｎ  ｔｏ  Ｅｍａｉｌ待機画面の構成例について示した説明図である。
【００４６】
そして、Ｓｃａｎ  ｔｏ  Ｅｍａｉｌ待機画面で、原稿を読み取ってスキャン画像を生成すると共にプレビュー画像を表示する処理（以下、「スキャンプレビュー処理」と呼ぶ）に移行するためのボタンＢ３０１（「Ｐｒｅｖｉｅｗ」と付記されたボタン）がタッチ（押下）されると（Ｓ１０２）、制御部１０８（画面表示制御部１０９）は、Ｓｃａｎ  ｔｏ  Ｅｍａｉｌジョブの実行を開始する。
【００４７】
そして、ここでは、ＭＦＰ１００において、Ｓｃａｎ  ｔｏ  Ｅｍａｉｌジョブの実行に伴い、ユーザの操作に応じて、スキャンプレビュー処理が行われたものとする（Ｓ１０３）。
【００４８】
スキャンプレビュー処理が終了すると、制御部１０８（ジョブ処理部１１０）は、それまでに読み取った原稿のスキャン画像データ（現在スキャン画像保持領域１０６ａに保持されているスキャン画像ファイルＦＳ）を添付してＥｍａｉｌ送信する処理（ネットワーク送受信部１０４を介したネットワークへのＥｍａｉｌ送信する処理）を実行する（Ｓ１０４）。
【００４９】
以上のような処理により、ＭＦＰ１００では、Ｓｃａｎ  ｔｏ  Ｅｍａｉｌジョブの過程に、プレビュー表示処理（スキャンプレビュー処理を構成するプレビュー表示処理）を組み込むことができる。
【００５０】
次に、上述のステップＳ１０３における制御部１０８の処理（Ｓｃａｎ  ｔｏ  Ｅｍａｉｌジョブにおけるスキャンプレビュー処理）の詳細について図１のフローチャートを用いて説明する。
【００５１】
上述のステップＳ１０２の処理により、Ｓｃａｎ  ｔｏ  Ｅｍａｉｌジョブを開始すると、制御部１０８（画面表示制御部１０９）は、スキャンプレビュー処理を実行可能な状態待機すると共に、当該処理の設定変更を受付けるための操作画面（以下、「Ｐｒｅｖｉｅｗ待機画面」と呼ぶ）をタッチパネル部２０３に表示させる（Ｓ２０１）。
【００５２】
図９は、Ｐｒｅｖｉｅｗ待機画面の初期状態の例について示した説明図である。
【００５３】
Ｐｒｅｖｉｅｗ待機画面には、Ｅｍａｉｌの宛先を設定するためのタブＴ４０１（「Ｄｅｓｔｉｎａｔｉｏｎ」と表示されたタブ）と、スキャンプレビュー処理の開始及びスキャン条件の設定変更を受付けることができるタブＴ４０２（「Ｓｃａｎ  Ｓｅｔｔｉｎｇ」と表示されたタブ）が配置されている。図９に示す通り、Ｐｒｅｖｉｅｗ待機画面では初期状態として、宛先（Ｄｅｓｔｉｎａｔｉｏｎ）を設定するためのタブＴ４０１が前面側に表示された状態であるものとする。そして、ここではユーザにより、原稿のスキャンプレビュー処理を実行するためのタブＴ４０２が押下（タッチ）され（Ｓ２０２）、タブＴ４０２が前面側に配置された状態に切替わったものとする（Ｓ２０３）。
【００５４】
図１０は、Ｐｒｅｖｉｅｗ待機画面で、タブＴ４０２（Ｓｃａｎ  Ｓｅｔｔｉｎｇ）が前面側に切り替わった状態について示した説明図である。
【００５５】
図１０に示すように、Ｐｒｅｖｉｅｗ待機画面のタブＴ４０２（Ｄｅｓｔｉｎａｔｉｏｎ）には、原稿をスキャンする条件設定を行うボタンと共に、スキャンプレビュー処理（スキャナ部１０１の自動給紙装置１０１ａにセットされた原稿をスキャンしてプレビュー表示する処理）を開始するためのボタンＢ４０１（「Ｓｃａｎ  Ｐｒｅｖｉｅｗ」と表示されたボタン）が配置されている。
【００５６】
そして、Ｐｒｅｖｉｅｗ待機画面で、ボタンＢ４０１（「Ｓｃａｎ  Ｐｒｅｖｉｅｗ」）が押下されると、制御部１０８（ジョブ処理部１１０）は、スキャナ部１０１を制御して自動給紙装置１０１ａにセットされた原稿を１枚取り込んでスキャン（読取り）を実行させる（Ｓ２０５）。これにより、スキャナ部１０１で読み取られた結果のスキャン画像データが、制御部１０８（ジョブ処理部１１０）を介して、ＲＡＭ１０６（スキャン画像保持領域１０６ａ）に供給され、スキャン画像ファイルＦＳとして追加記録される。
【００５７】
そして、制御部１０８（ジョブ処理部１１０）により、ＲＡＭ１０６（スキャン画像保持領域１０６ａ）に記録されたスキャン画像ファイルＦＳが変換処理（プレビュー表示に適したデータ形式に変換）され、ＲＡＭ１０６（プレビュー画像保持領域１０６ｂ）に供給されプレビュー画像ファイルＦＰとして追加記録される（Ｓ２０６）。
【００５８】
そして、制御部１０８（ジョブ処理部１１０）は、スキャナ部１０１を制御して、自動給紙装置１０１ａに原稿が残っているか否か（全ての原稿について読取が終了したか否か）を確認し（Ｓ２０７）、原稿が残っていない場合には後述するステップＳ２０８から動作し、原稿が残っている場合には、上述のステップＳ２０５に戻って次の原稿のスキャンの実行に移行する。
【００５９】
上述のステップＳ２０７で、全ての原稿について読取が終了したと確認された場合、制御部１０８（画面表示制御部１０９）は、プレビュー画像保持領域１０６ｂに記録されたプレビュー画像ファイルＦＰを全て取得し、取得したプレビュー画像ファイルＦＰの画像を表示（プレビュー表示）してユーザに確認させるための画面（以下、「Ｓｃａｎ  Ｐｒｅｖｉｅｗ画面」と呼ぶ）をタッチパネル部２０３に表示させる（Ｓ２０８）。
【００６０】
図１１は、Ｓｃａｎ  Ｐｒｅｖｉｅｗ画面の構成例について示した説明図である。
【００６１】
図１１に示すＳｃａｎ  Ｐｒｅｖｉｅｗ画面には、プレビュー画像を表示するためのフィールドＦ５０１が配置されている。また、Ｓｃａｎ  Ｐｒｅｖｉｅｗ画面には、フィールドＦ５０１に表示するプレビュー画像を切替えるためのスクロールバーＳＢ５０１、スクロールボタンＢ５０４、Ｂ５０５、及び現在フィールドＦ５０１に表示されているプレビュー画像のページ番号及びスキャン画像データの総ページ数（プレビュー画像保持領域１０６ｂに記録されているプレビュー画像ファイルＦＰの数）を表示するためのフィールドＦ５０２が配置されている。図１１では、フィールドＦ５０２の表示が「１／５」となっているので、現時点で、プレビュー画像保持領域１０６ｂには５つのプレビュー画像ファイルＦＰ（５ページ分のプレビュー画像ファイルＦＰ）が記録されており、現在フィールドＦ５０１にはそのうちの１ページ目のプレビュー画像が表示されていることを示している。
【００６２】
さらに、Ｓｃａｎ  Ｐｒｅｖｉｅｗ画面には、現在までに読み取った原稿のスキャン画像データ（現在スキャン画像保持領域１０６ａに保持されているスキャン画像ファイルＦＳ）を添付してＥｍａｉｌ送信を実行するためのボタンＢ５０１（「Ｅｘｅｃｕｔｅ  ｗｉｔｈ  Ｓｃａｎｎｅｄ  Ｐａｇｅ」と表示されたボタン）と、原稿を追加（スキャン画像データを追加）して再度プレビュー表示を実行するためのボタンＢ５０２（「Ｉｎｓｅｒｔ  Ｐａｇｅ＆Ｐｒｅｖｉｅｗ」と表示されたボタン）と、原稿を追加して再度プレビュー表示せずにＥｍａｉｌ送信処理を実行するためのボタンＢ５０３（「Ｉｎｓｅｒｔ  Ｐａｇｅ＆Ｓｔａｒｔ」と表示されたボタン）とが配置されている。
【００６３】
そして、制御部１０８（ジョブ処理部１１０）は、Ｓｃａｎ  Ｐｒｅｖｉｅｗ画面でボタンＢ５０１〜Ｂ５０３のいずれかが押下されると、押下されたボタンに応じて、その後の動作を決定する（Ｓ２０９）。
【００６４】
制御部１０８（ジョブ処理部１１０）は、Ｓｃａｎ  Ｐｒｅｖｉｅｗ画面でボタンＢ５０１（「Ｅｘｅｃｕｔｅ  ｗｉｔｈ  Ｓｃａｎｎｅｄ  Ｐａｇｅ」）が押下されると、スキャンプレビュー処理を終了して上述のステップＳ１０５の処理に移行する。また、制御部１０８（ジョブ処理部１１０）は、Ｓｃａｎ  Ｐｒｅｖｉｅｗ画面でボタンＢ５０２（「Ｉｎｓｅｒｔ  Ｐａｇｅ＆Ｐｒｅｖｉｅｗ」）が押下されると、上述のステップＳ２０５に戻って動作し、スキャナ部１０１（自動給紙装置１０１ａ）に追加された原稿も含めたジョブの処理（スキャンプレビュー処理等の処理）に移行する。
【００６５】
さらに、制御部１０８（ジョブ処理部１１０）は、Ｓｃａｎ  Ｐｒｅｖｉｅｗ画面でボタンＢ５０３（「Ｉｎｓｅｒｔ  Ｐａｇｅ＆Ｓｔａｒｔ」と表示されたボタン）が押下されると、スキャナ部１０１（自動給紙装置１０１ａ）を制御して追加された全ての原稿について、読取を実行させてスキャン画像データを取得し、ＲＡＭ１０６（スキャン画像保持領域１０６ａ）に供給してスキャン画像ファイルＦＳとして追加記録し（Ｓ２１０）、スキャンプレビュー処理を終了する。このとき、スキャナ部１０１（自動給紙装置１０１ａ）に追加原稿がセット（載置）されていない場合、制御部１０８（ジョブ処理部１１０）は、ステップＳ２１０の処理を実行せずにスキャンプレビュー処理を終了するようにしてもよいし、上述のステップＳ２０８にもどって動作するようにしてもよい。
【００６６】
例えば、Ｓｃａｎ  Ｐｒｅｖｉｅｗ画面の内容が上述の図１１の状態（総ページ数が５ページ）で、ボタンＢ５０１（「Ｅｘｅｃｕｔｅ  ｗｉｔｈ  Ｓｃａｎｎｅｄ  Ｐａｇｅ」）が押下されると、制御部１０８（ジョブ処理部１１０）は、スキャンプレビュー処理を終了し、上述のステップＳ１０４の処理に移行する。すなわち、制御部１０８（ジョブ処理部１１０）は、スキャン画像保持領域１０６ａに記録されたスキャン画像データ（スキャン画像ファイルＦＳ）について添付したＥｍａｉｌを生成して送信することになる。そして、制御部１０８（画面表示制御部１０９）は、タッチパネル部２０３に、Ｓｃａｎ  ｔｏ  ＥｍａｉｌジョブによりＥｍａｉｌ送信が完了したことを通知する画面（以下、「Ｅｍａｉｌ送信完了画面」と呼ぶ）として、図１２の画面を表示する。図１２に示すＥｍａｉｌ送信完了画面では、今回実行したＳｃａｎ  ｔｏ  Ｅｍａｉｌジョブに係る宛先アドレス数を表示するフィールドＦ６０１と、送信したスキャン画像データの総ページ数を表示するフィールドＦ６０２が配置されている。図１２では、フィールドＦ６０２に送信したスキャン画像データの総ページ数として「５」（原稿が追加されていないため上述の図１１と同様の数）が表示されている。
【００６７】
また、例えば、Ｓｃａｎ  Ｐｒｅｖｉｅｗ画面の内容が上述の図１１の状態（総ページ数が５ページ）で、ボタンＢ５０２（「Ｉｎｓｅｒｔ  Ｐａｇｅ＆Ｐｒｅｖｉｅｗ」）が押下されると、制御部１０８は、上述のステップＳ２０５から動作し、スキャナ部１０１（自動給紙装置１０１ａ）に追加された原稿を含めてスキャンプレビュー処理を開始する。そして、制御部１０８（プレビュー画像生成部１１１）は、追加された原稿のスキャン画像データ（スキャン画像ファイルＦＳ）をスキャン画像保持領域１０６ａに追加記録し、さらに、追加された原稿に係るスキャン画像データ（スキャン画像ファイルＦＳ）についてプレビュー画像ファイルＦＰを生成して、プレビュー画像保持領域１０６ｂに追加記録する。
【００６８】
ここでは、スキャナ部１０１（自動給紙装置１０１ａ）に原稿が１枚だけ追加されたものとすると、原稿追加後にＭＦＰ１００で表示されるＳｃａｎ  Ｐｒｅｖｉｅｗ画面は、図１３のようになる。図１３では、追加された原稿（１ページ分の原稿）のプレビュー画像が追加表示されているため、フィールドＦ５０２に表示されている総ページ数が「６」（５枚の原稿に１枚の原稿が追加された状態）となっている。その後、Ｓｃａｎ  Ｐｒｅｖｉｅｗ画面の内容が上述の図１３の状態（総ページ数が６ページ）で、ボタンＢ５０１（「Ｅｘｅｃｕｔｅ  ｗｉｔｈ  Ｓｃａｎｎｅｄ  Ｐａｇｅ」）が押下されると、制御部１０８（ジョブ処理部１１０）は、スキャンプレビュー処理を終了し、上述のステップＳ１０４の処理に移行して、Ｅｍａｉｌ送信処理を行う。そして、制御部１０８（画面表示制御部１０９）は、Ｓｃａｎ  ｔｏ  ＥｍａｉｌジョブによりＥｍａｉｌ送信が完了したことを通知するＥｍａｉｌ送信完了画面として、図１４の画面を表示する。図１４に示すＥｍａｉｌ送信完了画面では、フィールドＦ６０２に、送信したスキャン画像データの総ページ数として「６」（５＋１）が表示されている。
【００６９】
さらに、例えば、Ｓｃａｎ  Ｐｒｅｖｉｅｗ画面の内容が上述の図１１の状態（総ページ数が５ページ）で、ボタンＢ５０３（「Ｉｎｓｅｒｔ  Ｐａｇｅ＆Ｓｔａｒｔ」のボタン）が押下されると、制御部１０８は、上述のステップＳ２１０から動作する。すなわち、制御部１０８は、スキャナ部１０１（自動給紙装置１０１ａ）を制御して追加された原稿の読取を実行させ、読み込まれた原稿のスキャン画像をＲＡＭ１０６（スキャン画像保持領域１０６ａ）に供給してスキャン画像ファイルＦＳとして追加記録させる。そして、制御部１０８は、再度プレビュー表示をせずに、スキャンプレビュー処理を終了し、上述のステップＳ１０４の処理に移行して、Ｅｍａｉｌ送信処理を行う。そして、制御部１０８（画面表示制御部１０９）は、Ｓｃａｎ  ｔｏ  ＥｍａｉｌジョブによりＥｍａｉｌ送信が完了したことを通知するＥｍａｉｌ送信完了画面として、上述の図１２と同様の画面を表示することになる。
【００７０】
以上のように、制御部１０８（ジョブ処理部１１０）は、Ｓｃａｎ  Ｐｒｅｖｉｅｗ画面で、ボタンＢ５０２（「Ｉｎｓｅｒｔ  Ｐａｇｅ＆Ｓｔａｒｔ」）の押下（第１の指示入力）、又は、ボタンＢ５０３（「Ｉｎｓｅｒｔ  Ｐａｇｅ＆Ｐｒｅｖｉｅｗ」）の押下（第２の指示入力）が実行されると、そのとき実行中のジョブ（第１の原稿を読み取った第１の画像データを処理するジョブ）に、新たな追加原稿に係るジョブ（第２の原稿を読み取った第２の画像データを処理するジョブ）をマージして実行する（第１の画像データと第２の画像データをマージしたスキャン画像データの出力処理する）。そして、制御部１０８（ジョブ処理部１１０）は、Ｓｃａｎ  Ｐｒｅｖｉｅｗ画面で、ボタンＢ５０２（「Ｉｎｓｅｒｔ  Ｐａｇｅ＆Ｓｔａｒｔ」）の押下、又は、ボタンＢ５０３（「Ｉｎｓｅｒｔ  Ｐａｇｅ＆Ｐｒｅｖｉｅｗ」）の押下が実行されると、押下されたボタン（指示入力内容）に応じて、追加原稿のスキャン画像データに基づくプレビュー表示を実行するか否かを決定する。
【００７１】
（Ａ−３）実施形態の効果
この実施形態によれば、以下のような効果を奏することができる。
【００７２】
ＭＦＰ１００では、Ｓｃａｎ  Ｐｒｅｖｉｅｗ画面にて、ユーザにボタンＢ５０１〜Ｂ５０３のいずれかを選択・押下させることにより、追加でスキャナ部１０１（自動給紙装置１０１ａ）にセットした原稿のプレビュー表示を行うか否かを選択可能としている。これにより、追加した原稿のプレビュー画像を閲覧するより、スキャン画像データの出力処理（上記の実施形態の例ではＥｍａｉｌ送信）を早く行いたいユーザにとっては、追加した原稿のプレビュー画像表示を省略して処理時間を短縮でき、利便性が高くなる。
【００７３】
特に、ＭＦＰでは、ＰＣやワークステーションのような汎用装置と比較して、ソフトウェアを実行するコンピュータ（制御部を構成するコンピュータ）について、動作速度よりも、コスト（部品自体のコスト及び消費電力）や可用性（長時間連続して動作可能であること）等を重視した構成が採用されている。これは、通常ＭＦＰは、連続して長時間動作しつつ、低コストで構築及び運用することが求められる製品であるため、ソフトウェアの実行を主たる目的とするＰＣやワークステーションと設計思想が異なっているためである。また、通常、ＭＦＰにおいて、制御部は、各部の動作制御の情報処理を行うことを主目的として搭載されているため、画像処理（例えば、プレビュー画像を生成して表示する処理等）を行うことを主目的とした設計となっていない。したがって、ＭＦＰ１００では、スキャン画像データ（スキャン画像ファイルＦＳ）を異なる形式のプレビュー画像ファイルＦＰに変換する処理を、上述のような動作速度よりもコストや可用性を重視したコンピュータでソフトウェア的に行う場合、追加した原稿のプレビュー画像の生成及び表示を不要な場合に省略することにより、より大きく利便性を向上させることができる。
【００７４】
また、制御部１０８（ジョブ処理部１１０）は、Ｓｃａｎ  Ｐｒｅｖｉｅｗ画面で、ボタンＢ５０２の押下、又は、ボタンＢ５０３の押下が実行されると、そのとき実行中のジョブに、新たな追加原稿に係るジョブをマージして実行する（第１の画像データと第２の画像データをマージしたスキャン画像データの出力処理する）。このように、制御部１０８（ジョブ処理部１１０）では、第１のジョブの処理中に、第２のジョブを割込み処理させ、第１のジョブと第２のジョブの処理をマージして新たな第３のジョブとして実行することにより、ユーザの利便性を向上させている。従来のＭＦＰであれば、第１のジョブの処理中に、第２のジョブを割込み処理させる概念がないため、一旦第１のジョブを中止してから、新たなジョブを実行（追加原稿を含む原稿をスキャナにセットしてジョブを再実行）する必要があった。これに対して、ＭＦＰ１００では、制御部１０８（ジョブ処理部１１０）によりジョブの割込み処理及びジョブのマージ処理を実現しているため、従来のように実行中のジョブを中止せずに２つのジョブをマージ処理できるため、ユーザの利便性を向上させている。
【００７５】
（Ｂ）他の実施形態
本発明は、上記の実施形態に限定されるものではなく、以下に例示するような変形実施形態も挙げることができる。
【００７６】
（Ｂ−１）上記の実施形態では、本発明の画像処理装置を、ＭＦＰに適用する例について説明したが、原稿を読み取ったスキャン画像を出力する際にプレビュー表示することが可能な装置（例えば、ＦＡＸ、複写機（コピー機）、スキャナ、及びスキャナデバイスを備えたコンピュータ等）に適用するようにしてもよい。
【００７７】
（Ｂ−２）上記の実施形態では、ＭＦＰ１００で、原稿を読み取ったスキャン画像データを出力する際にプレビュー表示処理を行うジョブの例として、Ｓｃａｎ  ｔｏ  Ｅｍａｉｌジョブの動作について説明したが、「原稿を読み取ったスキャン画像データを出力する際にプレビュー表示処理を行う」他の種類のジョブにも上述の図１と同様のスキャンプレビュー処理を適用するようにしてもよい。例えばＭＦＰ１００が、スキャン画像データに基づくスキャン画像をＦＡＸ送信するジョブ（Ｓｃａｎ  ｔｏ  ＦＡＸのジョブ）、スキャン画像を図示しないファイルサーバにアップロードするジョブ（Ｓｃａｎ  ｔｏ  ＮｅｔｗｏｒｄＰＣのジョブ）等に適用するようにしてもよい。言い換えると、本発明の画像処理装置において、原稿を読み取ったスキャン画像データを出力する方式については限定されないものである。
【符号の説明】
【００７８】
１００…ＭＦＰ、１０１…スキャナ部、１０１ａ…自動給紙装置、１０２…プリンタ部、１０３…ファックス部、１０４ネットワーク送受信部、１０５オペレーションパネル、２０３…タッチパネル部、１０６…ＲＡＭ、１０６ａ…スキャン画像保持領域、１０６ｂ…プレビュー画像保持領域、ＦＳ…スキャン画像ファイル、ＦＰ…プレビュー画像ファイル、１０７…ＥＥＰＲＯＭ、１０８…制御部、１０９…画面表示制御部、１１０…ジョブ処理部、１１１…プレビュー画像生成部、…第１のハードキー部２０１、…第２のハードキー部２０２、…タッチパネル部２０３。
【図１】
2015050475.tif 000003
【図２】
2015050475.tif 000004
【図３】
2015050475.tif 000005
【図４】
2015050475.tif 000006
【図５】
2015050475.tif 000007
【図６】
2015050475.tif 000008
【図７】
2015050475.tif 000009
【図８】
2015050475.tif 000010
【図９】
2015050475.tif 000011
【図１０】
2015050475.tif 000012
【図１１】
2015050475.tif 000013
【図１２】
2015050475.tif 000014
【図１３】
2015050475.tif 000015
【図１４】
2015050475.tif 000016